(57)【要約】【課題】互いに隣り合う放射線遮蔽パネルの端面と端面との間に形成された目地を介した放射線の漏洩を防止できる放射性遮蔽目地部材等を提供する。【解決手段】互いに隣り合う放射線遮蔽パネル（放射線遮蔽ガラス２）の端面４と端面４との間に形成される目地５に設置される放射線遮蔽目地部材６であって、一方方向に長尺となるように延長して延長方向と直交する断面がＴ字形状の収容部８を備えたケース９と、一方方向に長尺となるように延長して延長方向と直交する断面がＴ字形状に形成されて前記ケース９の収容部８内に収容された放射線遮蔽目地体７と、を備えて構成され、前記放射線遮蔽目地体７のＴ字の縦部分が目地５に設置され、前記放射線遮蔽目地体７のＴ字の横部分が互いに隣り合う一方の放射線遮蔽パネルの端面４ａ側の板面（ガラス板面３）と他方の放射線遮蔽パネルの端面４ｂ側の板面（ガラス板面３）とに跨って設置されることを特徴とする。【選択図】図３
2015187545.tif 000002
【特許請求の範囲】
【請求項１】
放射線遮蔽パネルを並べて放射線使用室を形成する際の互いに隣り合う放射線遮蔽パネルの端面と端面との間に形成される目地に設置される放射線遮蔽目地部材であって、
一方方向に長尺となるように延長して延長方向と直交する断面がＴ字形状の収容部を備えたケースと、
一方方向に長尺となるように延長して延長方向と直交する断面がＴ字形状に形成されて前記ケースの収容部内に収容された放射線遮蔽目地体と、を備えて構成され、
前記放射線遮蔽目地体のＴ字の縦部分が目地に設置され、前記放射線遮蔽目地体のＴ字の横部分が互いに隣り合う一方の放射線遮蔽パネルの端面側の板面と他方の放射線遮蔽パネルの端面側の板面とに跨って設置されることを特徴とする放射線遮蔽目地部材。
【請求項２】
前記放射線遮蔽目地体は、前記収容部のＴ字の縦部分に収容される第１遮蔽板と、前記収容部のＴ字の横部分に収容される第２遮蔽板とを備えたことを特徴とする請求項１に記載の放射線遮蔽目地部材。
【請求項３】
請求項１又は請求項２に記載の放射線遮蔽目地部材を用いた放射線遮蔽目地構造であって、
前記放射線遮蔽目地体のＴ字の縦部分が目地に設置されて当該放射線遮蔽目地体のＴ字の縦部分と互いに隣り合う放射線遮蔽パネルの端面とが対向し、かつ、前記放射線遮蔽目地体のＴ字の横部分が互いに隣り合う一方の放射線遮蔽パネルの端面側の板面と他方の放射線遮蔽パネルの端面側の板面とに対向するように放射線遮蔽目地部材が設置されたことを特徴とする放射線遮蔽目地構造。
【発明の詳細な説明】
【技術分野】
【０００１】
本発明は、互いに隣り合う放射線遮蔽パネルの端面と端面との間の目地に設けられる放射線遮蔽目地部材等に関する。
【背景技術】
【０００２】
ガラスパネル等のパネルの目地構造として、パネルの端面と端面との間に形成される目地に例えば２成分形・アルコール型の低モデュラスの目地材を設けた目地構造が知られている（例えば特許文献１等参照）。
【先行技術文献】
【特許文献】
【０００３】
【特許文献１】特開２００４−２０４４８９号公報
【発明の概要】
【発明が解決しようとする課題】
【０００４】
従来、Ｘ線やガンマ線等の医療に用いられる放射線を使用する室内から室外への放射線の漏洩防止が必要な放射線使用室（例えば、手術室、Ｘ線室、血管撮影室、その他放射線を扱う放射線診断施設等）は、例えば室内を放射線遮蔽パネルで隙間無く囲んだり、隙間を放射線遮蔽部材で覆うようにしており、放射線遮蔽パネルを互いに隣り合うように配置して互いに隣り合う放射線遮蔽パネルの端面と端面との間に目地を形成することは行っていない。
本発明は、放射線遮蔽パネルを互いに隣り合うように配置して互いに隣り合う放射線遮蔽パネルの端面と端面との間に目地を形成するようにして放射線使用室を形成する場合において、当該目地を介した放射線の漏洩を防止できる放射性遮蔽目地部材等を提供する。
【課題を解決するための手段】
【０００５】
本発明に係る放射線遮蔽目地部材は、放射線遮蔽パネルを並べて放射線使用室を形成する際の互いに隣り合う放射線遮蔽パネルの端面と端面との間に形成される目地に設置される放射線遮蔽目地部材であって、一方方向に長尺となるように延長して延長方向と直交する断面がＴ字形状の収容部を備えたケースと、一方方向に長尺となるように延長して延長方向と直交する断面がＴ字形状に形成されて前記ケースの収容部内に収容された放射線遮蔽目地体と、を備えて構成され、前記放射線遮蔽目地体のＴ字の縦部分が目地に設置され、前記放射線遮蔽目地体のＴ字の横部分が互いに隣り合う一方の放射線遮蔽パネルの端面側の板面と他方の放射線遮蔽パネルの端面側の板面とに跨って設置されるので、放射線遮蔽パネル間の目地を介した放射線の漏洩を防止できる。
前記放射線遮蔽目地体は、前記収容部のＴ字の縦部分に収容される第１遮蔽板と、前記収容部のＴ字の横部分に収容される第２遮蔽板とを備えたので、平板状の第１遮蔽板と第２遮蔽板とを単独でケースの収容部に収容することが可能となり、放射線遮蔽目地体をケースの収容部に収容する作業が容易となるとともに、平板状の第１遮蔽板及び第２遮蔽板を用いることができるため、放射線遮蔽目地体のコストを低減できる。
本発明に係る前記放射線遮蔽目地部材を用いた放射線遮蔽目地構造は、前記放射線遮蔽目地体のＴ字の縦部分が目地に設置されて当該放射線遮蔽目地体のＴ字の縦部分と互いに隣り合う放射線遮蔽パネルの端面とが対向し、かつ、前記放射線遮蔽目地体のＴ字の横部分が互いに隣り合う一方の放射線遮蔽パネルの端面側の板面と他方の放射線遮蔽パネルの端面側の板面とに対向するように放射線遮蔽目地部材が設置されたので、放射線遮蔽パネル間の目地を介した放射線の漏洩を防止できる放射線遮蔽目地構造を提供できる。
【図面の簡単な説明】
【０００６】
【図１】放射線遮蔽ガラス壁構造を示す横断面図。
【図２】放射線遮蔽ガラス壁構造を示す縦断面図。
【図３】放射線遮蔽ガラス壁構造の放射線遮蔽目地構造を示す断面図。
【図４】放射線遮蔽目地部材の設置状態を示す斜視図。
【図５】放射線遮蔽目地部材を示す分解斜視図。
【発明を実施するための形態】
【０００７】
図１；図２に示すように、放射線使用室内１Ａと放射線使用室外１Ｂとを仕切る放射線遮蔽ガラス壁構造１は、左右方向に並ぶように配置された複数の放射線遮蔽ガラス２；２…のガラス板面３；３…が同一平面上に位置され、互いに隣り合う放射線遮蔽ガラス２；２は、図３に示すように、互いに向かい合う端面４と端面４との間が所定の間隔を隔てて配置されることによって目地５が形成され、当該目地５に放射線遮蔽目地部材６が設置された構造である。
放射線遮蔽ガラス２は、例えば鉛ガラス２ａの両方のガラス板面にフロートガラス（通常の透明ガラス）２ｂ；２ｂを貼り合わせた複合ガラスにより形成される。
放射線使用室は、例えば、放射線を使用する手術室、Ｘ線室、血管撮影室、その他放射線を扱う放射線診断施設等である。例えば、放射線使用室は、建物の外と面した手術室であって、放射線遮蔽ガラス２を介して建物外から手術室内が見えるように構成される。放射線遮蔽ガラス２の厚さは例えば２０ｍｍである。
【０００８】
図３に示すように、放射線遮蔽目地部材６は、放射線遮蔽目地体７と、当該放射線遮蔽目地体７を収容する収容部８を有したケース９とを備えて構成される。
図５に示すように、ケース９は、一方方向に長尺となるように延長して延長方向と直交する断面がＴ字形状の収容部８を備えた長尺部材により構成される。当該ケース９は、例えば、ステンレス等の金属、樹脂等により形成される。
即ち、ケース９は、長手方向と直交する幅の寸法が一定幅寸法に形成された長尺細幅の底板９１と、当該底板９１の幅方向両端より同方向に垂直に延長する側板９２；９２と、各側板９２；９２の延長端より垂直に互いに近づく方向に延長して底板９１と平行に対向する対向板９３；９３と、各対向板９３；９３の延長端より同方向に垂直に底板９１から離れる方向に延長して互いに平行な延長板９４；９４とを備え、当該各延長板９４；９４の延長端と延長端との間が長手方向に延長する細幅の開口９５となり、かつ、長手方向の両端がＴ字形状の開口９６；９６となるように構成されている。
例えば、底板９１の幅寸法（ケース９の断面Ｔ字の横部の長さ寸法）が２０ｍｍ、延長板９４の延長方向の長さ寸法（ケース９の断面Ｔ字の縦部の長さ寸法）が１５ｍｍである。
収容部８は、底板９１、側板９２；９２、対向板９３；９３、延長板９４；９４で囲まれた断面Ｔ字形状の収容空間により形成される。
【０００９】
放射線遮蔽目地体７は、一方方向に長尺となるように延長して延長方向と直交する断面がＴ字形状に形成されてケース９の収容部８内に収容される長尺部材により構成される。
放射線遮蔽目地体７は、第１遮蔽板７１と第２遮蔽板７２とを備えて構成される。
第１遮蔽板７１は、例えば、収容部８のＴ字の縦部を形成する延長板９４と延長板９４との間の断面矩形状の空間に嵌め込まれる断面矩形状の薄い板厚の長尺細幅平板状の鉛板により形成される。
第２遮蔽板７２は、例えば、収容部８のＴ字の横部を形成する底板９１と側板９２；９２と対向板９３；９３とで囲まれた断面矩形状の空間に嵌め込まれる断面矩形状の薄い板厚の長尺細幅平板状の鉛板により形成される。
例えば、第２遮蔽板７２が、ケース９の長手方向の一端の開口９６から収容部８のＴ字の横部を形成する断面矩形状の空間に嵌め込まれ、第１遮蔽板７１が、ケース９の各延長板９４；９４の延長端と延長端との間の細幅の開口９５から収容部８のＴ字の縦部を形成する断面矩形状の空間に嵌め込まれることによって、第１遮蔽板７１の長手方向に沿った一端面７１ａと第２遮蔽板７２の一方の板面７２ａとが接触するように突き付けられた断面Ｔ字形状の放射線遮蔽目地体７（図３参照）が、ケース９の断面Ｔ字形状の収容部８に収容された構成の放射線遮蔽目地部材６が形成される。
第１遮蔽板７１及び第２遮蔽板７２を構成する鉛板の厚さ寸法は例えば２ｍｍである。
【００１０】
図１；図２に示すように、放射線遮蔽ガラス壁構造１は、建物の放射線遮蔽壁２０で囲まれた開口縁２１に設けられたガラス取付枠１０に放射線遮蔽ガラス２と放射線遮蔽目地部材６とを交互に取付けて構成される。
ガラス取付枠１０は、開口縁２１に沿って設けられた上下左右の枠に放射線遮蔽ガラス２の端部を挿入するための溝（凹溝）１１を備えた構成である。
例えば、図１の左端に位置されるガラス取付枠１０の左枠１２の溝１１に放射線遮蔽ガラス２の左端部２ｃを挿入するとともに、図２に示すように、当該放射線遮蔽ガラス２の上端部２ｔをガラス取付枠１０の上枠１３の溝１１に挿入し、かつ、当該放射線遮蔽ガラス２の下端部２ｕをガラス取付枠１０の下枠１４の溝１１に挿入する。
次に、図３に示すように、第１遮蔽板７１の一方の板面７１ｂと当該放射線遮蔽ガラス２の右端面４ａとが平行に対向し、かつ、第２遮蔽板７２の板面７２ａと当該放射線遮蔽ガラス２の右端面４ａ側のガラス板面３とが平行に対向するように、放射線遮蔽目地部材６の上端部６ａを上枠１３の溝１１に挿入するとともに放射線遮蔽目地部材６の下端部６ｂを下枠１４の溝１１に挿入することによって当該放射線遮蔽目地部材６を図４に示すように自立させる。
そして、次に取付ける放射線遮蔽ガラス２の上端部２ｔを上枠１３の溝１１に挿入して、かつ、当該放射線遮蔽ガラス２の下端部２ｕを下枠１４の溝１１に挿入し、さらに、放射線遮蔽ガラス２の左端面４ｂを、自立させておいた放射線遮蔽目地部材６のケース９の延長板９４の外面に突き付ける（図３参照）。尚、図２に示した４５は、放射線遮蔽ガラス２の取付高さ位置調整のための調整台である。
以上により、第１遮蔽板７１が互いに隣り合う放射線遮蔽ガラス２；２の端面４ａ：４ｂとの間に形成された目地５に位置されて第１遮蔽板７１の板面７１ｂ；７１ｃと互いに隣り合う放射線遮蔽ガラス２；２の端面４ａ：４ｂとが平行に対向し、かつ、第２遮蔽板７２の板面７２ａが互いに隣り合う放射線遮蔽ガラス２；２のガラス板面３；３（放射線使用室外１Ｂ側のガラス板面３；３）に跨って当該ガラス板面３；３と対向するように、放射線遮蔽目地部材６が設置される。尚、互いに隣り合う放射線遮蔽ガラス２；２のガラス板面３；３と接触するケース９の各対向板９３；９３と当該ガラス板面３；３とが接着剤等によって接着されることで、放射線遮蔽目地部材６がガラス板面３；３に固定される。
【００１１】
以後、ガラス取付枠１０に放射線遮蔽ガラス２と放射線遮蔽目地部材６とを交互に取付けていくことで、左右方向に互いに隣り合う放射線遮蔽ガラス２；２の端面４：４との間の目地５に放射線遮蔽目地部材６が設置された放射線遮蔽目地構造を備えた放射線遮蔽ガラス壁構造１が構成される。
【００１２】
尚、ガラス取付枠１０に放射線遮蔽ガラス２と放射線遮蔽目地部材６とを交互に取付けていき、左端の放射線遮蔽ガラス２の左端部２ｃが挿入された溝１１内、右端の放射線遮蔽ガラス２の右端部２ｄが挿入された溝１１内、複数の放射線遮蔽ガラス２の上端部２ｔ及び放射線遮蔽目地部材６の上端部６ａが挿入された溝１１内、複数の放射線遮蔽ガラス２の下端部２ｕ及び放射線遮蔽目地部材６の下端部６ｂが挿入された溝１１内には、シーリング剤５０が充填されることによって、複数の放射線遮蔽ガラス２及び放射線遮蔽目地部材６が固定状態に維持されるとともに水密性能が維持される。
また、図３に示すように、放射線遮蔽目地構造を形成する放射線遮蔽目地部材６の開口９５側の目地部分（互いに隣り合う放射線遮蔽ガラス２；２の互いに向かい合う端面４と端面４と間）にはシーリング剤５１が充填されて、目地５の水密性能が維持される。
【００１３】
また、図１において、２３は柱、図２において、３０は基礎、２４は土台、３１は基礎３０と建物の下部躯体との間にモルタルが充填されて構成されたモルタル充填構成部、図１；２において、４０；４１は放射線遮蔽壁２０の放射線遮蔽材である。この放射線遮蔽材４０は、放射線使用室を覆うように放射線使用室内１Ａの壁下地の全面に設けられている。放射線遮蔽材４１は、放射線遮蔽ガラス壁構造１と放射線遮蔽壁２０との間のガラス取付枠１０部分の遮蔽性を確保するためにガラス取付枠１０の内側に設けられた鉛板等の放射線遮蔽材である。
【００１４】
実施形態の放射線遮蔽ガラス壁構造１によれば、放射線遮蔽ガラス２を並べて放射線使用室を形成する際の互いに隣り合う放射線遮蔽ガラス２；２…の端面４と端面４との間に形成される目地５に、放射線遮蔽目地体７のＴ字の縦部分を形成する第１遮蔽板７１と互いに隣り合う放射線遮蔽ガラス２；２…の端面４と端面４とが対向するように放射線遮蔽目地部材６が設置されるので、目地５を通過しようとする放射線を第１遮蔽板７１により遮蔽することができる。
また、放射線遮蔽目地体７のＴ字の横部分を形成する第２遮蔽板７２が互いに隣り合う一方の放射線遮蔽ガラス２の端面４ａ側の板面と他方の放射線遮蔽ガラス２の端面４ｂ側の板面とに跨って、当該放射線遮蔽目地体７の第２遮蔽板７２が互いに隣り合う一方の放射線遮蔽ガラス２の端面４ａ側の板面と他方の放射線遮蔽ガラス２の端面４ｂ側の板面とに対向するように放射線遮蔽目地部材６が設置されるので、放射線遮蔽目地部材６のケース９を通過しようとする放射線を第２遮蔽板７２により遮蔽することができる。
従って、放射線遮蔽ガラス２を互いに隣り合うように配置して互いに隣り合う放射線遮蔽ガラス２；２…の端面４と端面４との間に目地５を形成するようにして放射線使用室を形成する場合において、当該目地５を介した放射線の漏洩を防止できる放射線遮蔽目地構造を構成できる。
即ち、実施形態の放射線遮蔽目地部材６を用いることによって、互いに隣り合う放射線遮蔽ガラス２；２の端面４；４間の隙間の放射線遮蔽処理を簡単に行うことができるようになる。
【００１５】
例えば、目地の外側に支柱を立てて当該支柱に放射線遮蔽部材を設けて目地の外側を遮蔽したり、あるいは、目地の外側にも放射線遮蔽ガラスを設けて目地の外側を遮蔽するといった方法も考えられる。しかしながら、これらの方法では、目地に放射線遮蔽部材が設置されない構造であるため、図３のフロートガラス２ｂ、目地５、フロートガラス２ｂを通過する放射線（放射線遮蔽ガラス２のガラス板面３に対して斜めに通過する放射線）を遮蔽するために、目地５の幅よりも相当大きな幅の放射線遮蔽材や放射線遮蔽ガラスを設けなくてはならない。例えば目地の幅が５ｍｍであれば、放射線遮蔽材や放射線遮蔽ガラスの幅を３０ｍｍ以上にする必要がある。従って、これらの方法では、目地の放射線遮蔽処理のコストが高くなり、また、建物の外観を損なう可能性が高い。また、放射線使用室外１Ｂから放射線遮蔽ガラス壁構造１を介して放射線使用室内１Ａを見た場合、あるいは、放射線使用室内１Ａから放射線遮蔽ガラス壁構造１を介して放射線使用室外１Ｂを見た場合、支柱が邪魔になって見通しが悪くなったり、目地の外側にも放射線遮蔽ガラスを設けた場合には放射線遮蔽ガラスが二重になるため光の透過率が悪くなって見通しが悪くなる。さらに、支柱や二重の放射線遮蔽ガラスの大きな影が放射線使用室内１Ａに映るようになってしまう。
一方、実施形態の放射線遮蔽目地構造では、目地５に第１遮蔽板７１（放射線遮蔽部材）が設置され、当該第１遮蔽板７１によって、図３のフロートガラス２ｂ、目地５、フロートガラス２ｂを斜めに通過しようとする放射線を遮蔽できるため、断面Ｔ字の横部を形成する第２遮蔽板７２の横幅寸法は目地５の幅寸法よりも大きければ良く、目地５の幅寸法に近い寸法にできる。例えば、目地５の幅Ｗが５ｍｍであれば、余裕を見て第２遮蔽板７２の横幅寸法を１０ｍｍ程度にできる。尚、上述したようにケース９の断面Ｔ字の横部の長さ寸法が２０ｍｍであれば、第２遮蔽板７２の横幅寸法は１８ｍｍ程度である。
従って、上述した方法と比べて、実施形態の放射線遮蔽目地構造によれば、目地５の放射線遮蔽処理のコストを安価にでき、また、建物の外観を損ない難くできる。また、放射線遮蔽目地部材６の幅を細くできるので、放射線使用室外１Ｂから放射線遮蔽ガラス壁構造１を介して放射線使用室内１Ａを見た場合、あるいは、放射線使用室内１Ａから放射線遮蔽ガラス壁構造１を介して放射線使用室外１Ｂを見た場合、支柱や二重の放射線遮蔽ガラスを用いる場合と比べて見通しが良くなる。さらに、放射線使用室内１Ａに映る影を小さくできる。
【００１６】
また、実施形態の放射線遮蔽目地部材６は、一方方向に長尺となるように延長して延長方向と直交する断面がＴ字形状の収容部８を有したケース９を備え、当該ケース９の収容部８内に自立しない鉛板により構成された放射線遮蔽目地体７を収容して構成されたので、ケース９によって放射線遮蔽目地体７を自立させることが可能となり、放射線遮蔽ガラス壁構造１の放射線遮蔽目地構造を施工する際の作業性を良くできる。
また、放射線遮蔽目地体７は、ケース９の収容部８のＴ字の縦部分に収容される第１遮蔽板７１と、当該収容部８のＴ字の横部分に収容される第２遮蔽板７１とを備えた構成としたので、平板状の第１遮蔽板７１と第２遮蔽板７２とを単独でケース９の収容部８に収容することが可能となり、放射線遮蔽目地体７をケース９の収容部８に収容する作業が容易となるとともに、平板状の第１遮蔽板７１及び第２遮蔽板７２を用いることができるので、放射線遮蔽目地体７のコストを低減できる。
【００１７】
尚、放射線遮蔽ガラス２の厚さ、放射線遮蔽目地体７及び放射線遮蔽材４１を構成する鉛板の厚さは、放射線使用室で使用される放射線の量に応じて決定すればよい。
【００１８】
また、放射線使用室内１Ａ側のガラス板面３に、例えば、電気信号を印加することにより放射線遮蔽ガラス２のフロートガラス２ｂを曇りガラス状態に見せ、電気信号が印加されないことにより放射線遮蔽ガラス２のフロートガラス２ｂを透明に見せることが可能な図外のフイルムシートを設けることによって、フロートガラス２ｂを透明に見せることで放射線使用室内と放射線使用室外とをシースルー状態にでき、かつ、フイルムシートで曇りガラス状態にしたガラス面に映写機で映像を投影することが可能となる。
【００１９】
尚、上記では、第２遮蔽板７２の板面７２ａが互いに隣り合う放射線遮蔽ガラス２；２の放射線使用室外１Ｂ側のガラス板面３；３に跨って当該ガラス板面３；３と対向するように、放射線遮蔽目地部材６を設置した例を示したが、第２遮蔽板７２の板面７２ａが互いに隣り合う放射線遮蔽ガラス２；２の放射線使用室内１Ａ側のガラス板面３；３に跨って当該ガラス板面３；３と対向するように、放射線遮蔽目地部材６を設置してもよい。
また、放射線遮蔽パネルとして放射線遮蔽ガラス２を用いた例を示したが、放射線遮蔽パネルは、金属製のパネルや樹脂製のパネル等に放射線遮蔽処理を施したパネルであってもよい。このようなパネルであっても、本願発明の放射線遮蔽目地部材を用いることによって、互いに隣り合う放射線遮蔽パネルの端面間の隙間（目地）の放射線遮蔽処理を簡単に行うことができるようになる。
【符号の説明】
【００２０】
２  放射線遮蔽ガラス（放射線遮蔽パネル）、
３  ガラス板面（放射線遮蔽パネルの板面）、４  放射線遮蔽ガラスの端面、５  目地、
６  放射線遮蔽目地部材、７  放射線遮蔽目地体、８  収容部、９  ケース、
７１  第１遮蔽板、７２  第２遮蔽板。
【図１】
2015187545.tif 000003
【図２】
2015187545.tif 000004
【図３】
2015187545.tif 000005
【図４】
2015187545.tif 000006
【図５】
2015187545.tif 000007